(57)【要約】【課題】調理中や、調理終了の直後などに、使用者が天板上に配設された操作つまみに触れたときにも、使用者が不快に感じるほどに熱く感じたり、火傷をしたりすることのない、安全で使い勝手のよいガスコンロを提供する。【解決手段】（ａ）操作つまみ２５が、操作つまみ本体３５と、操作つまみ本体に止着され、使用者が操作つまみを操作する際に手指にて挟持する挟持部であって、使用者が操作つまみを操作する際に、使用者の手指が触れる挟持面３６ａを有する挟持部３６を備え、かつ、（ｂ）操作つまみを構成する挟持部が、挟持部の熱容量を減少させて、挟持面から使用者の手指に伝わる熱量を低減するための熱容量減少部と、操作つまみから挟持面への熱伝導を抑制して、使用者が挟持面に手指を触れたときに熱さを感じにくくするための熱伝導抑制部と、を備えた構成とする。【選択図】図３
2019074293.tif 000002
【特許請求の範囲】
【請求項１】
コンロバーナを備え、上面が天板により覆われたコンロ本体と
前記天板上に配設された操作つまみを備え、前記操作つまみを下方に押し込みながら所定方向に回す押し回し操作をすることによりコンロバーナの点消火を行う押し回し式の点消火操作部と、を有する上面操作式のガスコンロであって、
（ａ）前記操作つまみが、
操作つまみ本体と、
前記操作つまみ本体に止着され、使用者が前記操作つまみを操作する際に手指にて挟持する挟持部であって、使用者が前記操作つまみを操作する際に、使用者の手指が触れる挟持面を有する挟持部を備え、かつ、
（ｂ）前記操作つまみを構成する前記挟持部が、
前記挟持部の熱容量を減少させて、前記挟持面から使用者の手指に伝わる熱量を低減するための熱容量減少部と、
前記操作つまみから前記挟持面への熱伝導を抑制して、使用者が前記挟持面に手指を触れたときに熱さを感じにくくするための熱伝導抑制部と、を備えていること
を特徴とするガスコンロ。
【請求項２】
前記挟持面の主要部が、交互に配設された複数の凹溝と凸条とを備えた凹凸面として構成されていることを特徴とする請求項１記載のガスコンロ。
【請求項３】
前記挟持面の主要部が、表面が曲面に形成された複数の突起を備えた突起配設面として構成されていることを特徴とする請求項１記載のガスコンロ。
【請求項４】
前記挟持部が、ゴム部材により構成されていることを特徴とする請求項１〜３のいずれかに記載のガスコンロ。
【請求項５】
前記挟持部が、木材により構成されていることを特徴とする請求項１〜３のいずれかに記載のガスコンロ。
【請求項６】
前記挟持部が、前記操作つまみ本体に対して、着脱可能に構成されていることを特徴とする請求項１〜５のいずれかに記載のガスコンロ。  
【発明の詳細な説明】
【技術分野】
【０００１】
本発明は、ガスコンロに関し、詳しくは、コンロバーナの点消火を行う押し回し式の点消火装置を備えたガスコンロに関する。
【背景技術】
【０００２】
例えば、ガスコンロの中には、押し回し式の点消火装置によってコンロバーナの点消火を行うように構成されたガスコンロがある。
【０００３】
そのようなガスコンロの１つとして、特許文献１には、コンロバーナの点消火を行う押し回し式の点消火装置を備え、その操作つまみが、天板上のコンロバーナの側方に配設されたガスコンロが記載されている。
【先行技術文献】
【特許文献】
【０００４】
【特許文献１】特開２００８−８９１４５号公報
【発明の概要】
【発明が解決しようとする課題】
【０００５】
ところで、特許文献１のガスコンロのように、コンロバーナの点消火を行う押し回し式の点消火装置の操作つまみが天板上のコンロバーナの側方に配設されている場合、五徳上に載置された調理容器の下面を這うように拡がったコンロバーナの火炎が、操作つまみの存在方向に向かって伸びることが考えられ、その場合、操作つまみが加熱される。
【０００６】
そして、特許文献１には、コンロバーナの火炎によって操作つまみが加熱されたときの状態については特に記載されていないが、加熱された操作つまみに使用者の手指が触れたときのことを考慮すれば、加熱された操作つまみに使用者の手指が触れたときにも使用者が熱く感じたり、火傷をしたりすることを抑制、防止することができるような配慮がなされている必要がある。
【０００７】
本発明は、上記課題を解決するものであり、操作つまみが天板上のコンロバーナの側方に配設されたガスコンロにおいて、調理中や調理終了の直後などに使用者が操作つまみに触れたときにも、使用者が不快に感じるほどに熱く感じたり、火傷をしたりすることのない、安全で使い勝手の良好なガスコンロを提供することを目的とする。
【課題を解決するための手段】
【０００８】
上記の目的を達成するために、本発明のガスコンロは、
コンロバーナを備え、上面が天板により覆われたコンロ本体と
前記天板上に配設された操作つまみを備え、前記操作つまみを下方に押し込みながら所定方向に回す押し回し操作をすることによりコンロバーナの点消火を行う押し回し式の点消火操作部と、を有する上面操作式のガスコンロであって、
（ａ）前記操作つまみが、
操作つまみ本体と、
前記操作つまみ本体に止着され、使用者が前記操作つまみを操作する際に手指にて挟持する挟持部であって、使用者が前記操作つまみを操作する際に、使用者の手指が触れる挟持面を有する挟持部を備え、かつ、
（ｂ）前記操作つまみを構成する前記挟持部が、
前記挟持部の熱容量を減少させて、前記挟持面から使用者の手指に伝わる熱量を低減するための熱容量減少部と、
前記操作つまみから前記挟持面への熱伝導を抑制して、使用者が前記挟持面に手指を触れたときに熱さを感じにくくするための熱伝導抑制部と、を備えていること
を特徴としている。
【０００９】
本発明のガスコンロにおいては、前記挟持面の主要部が、交互に配設された複数の凹溝と凸条とを備えた凹凸面として構成されていることが好ましい。
【００１０】
また、前記挟持面の主要部が、表面が曲面に形成された複数の突起を備えた突起配設面として構成されていることが好ましい。
【００１１】
また、前記挟持部が、ゴム部材により構成されていることが好ましい。
【００１２】
前記挟持部が、木材により構成されていることが好ましい。
【００１３】
また、前記挟持部が、前記操作つまみ本体に対して、着脱可能に構成されていることが好ましい。
【発明の効果】
【００１４】
本発明のガスコンロは、上述のように構成されており、操作つまみが、操作つまみ本体と、操作つまみ本体に止着され、使用者が操作つまみを操作する際に手指にて挟持する挟持部であって、操作つまみを操作する際に、使用者の手指が触れる挟持面を有する挟持部を備え、かつ、操作つまみを構成する挟持部が、挟持部の熱容量を減少させる熱容量減少部と、操作つまみから挟持面への熱伝導を抑制する熱伝導抑制部とを備えているので、挟持面から使用者の手指に伝わる熱量を低減することが可能になるとともに、使用者が挟持面に手指を触れたときに熱さを感じにくくすることが可能になり、調理中や、調理終了の直後などに、使用者が、天板上に配設された操作つまみに触れたときにも、使用者が不快に感じるほどに熱く感じたり、火傷をしたりすることのない、安全で使い勝手のよいガスコンロを提供することができる。
【００１５】
また、挟持面の主要部が、交互に配設された複数の凹溝と凸条とを備えた凹凸面として構成されている場合、凸条が空気で満たされた凹溝と隣接することになるので、挟持部の熱容量が減少する。また、凸条は、操作つまみの挟持部から、挟持面（凸条の先端）への熱伝導を抑制する（熱流を減少させる）ので使用者が熱く感じることを抑制することができる。したがって、より確実に、使用者が不快に感じるほどに熱く感じたり、火傷をしたりすることのない、安全で使い勝手のよいガスコンロを提供することが可能になる。
【００１６】
また、挟持面の主要部が、表面が曲面に形成された複数の突起を備えた突起配設面として構成されている場合、複数の突起の周囲には空気が存在するので、挟持部の熱容量が減少する。また、挟持部を構成する表面が曲面に形成された複数の突起において操作つまみの挟持部から挟持面（突起の先端）への熱伝導が抑制される（熱流が減少する）。その結果、挟持部に手指を触れた使用者が熱く感じることを抑制することができる。
また、挟持面を構成する複数の突起の表面が曲面に形成されることにより、使用者が操作つまみを使用者の手指にて挟持したとき、使用者が受ける刺激（ちくちくする感じがすること）を抑制し、使用感を向上させることができる。
【００１７】
また、前記挟持部が、ゴム部材により構成されている場合、ゴム部材が熱を伝えにくい材料であることから、熱容量を減少させるための構成を与えるだけで、挟持部に手指を触れた使用者が熱く感じることを容易かつ確実に抑制することができる。
【００１８】
また、挟持部が、木材により構成されている場合も、木材が熱の伝わりにくい材料であることから、熱容量を減少させるための構成を与えるだけで、挟持部に手指を触れた使用者が熱く感じることを容易かつ確実に抑制することができる。
なお、熱容量の小さい木材として、例えば空洞を多く含む木材を用いることが可能である。
【００１９】
また、挟持部が、操作つまみ本体に対して、着脱可能に構成されている場合、挟持部が汚損したときに、操作つまみ本体から取り外して清掃することが可能になり、使い勝手のよいガスコンロを提供することができる。
【図面の簡単な説明】
【００２０】
【図１】本発明の一実施形態（実施形態１）にかかるガスコンロの外観構成を示す斜視図である。
【図２】本発明の実施形態１にかかるガスコンロの点消火つまみ周辺の要部断面図である。
【図３】（ａ）は本発明の実施形態１にかかるガスコンロの点消火つまみの平面図であり、（ｂ）は側面図である。
【図４】（ａ）は本発明の他の実施形態（実施形態２）にかかるガスコンロの点消火つまみの平面図であり、（ｂ）は側面図である。
【図５】（ａ）は本発明のさらに他の実施形態（実施形態３）にかかるガスコンロの点消火つまみの平面図であり、（ｂ）は正断面図である。
【図６】本発明のさらに他の実施形態（実施形態４）にかかるガスコンロの点消火つまみの平面図である。
【発明を実施するための形態】
【００２１】
以下、本発明の実施形態を示して、その特徴とするところをさらに詳しく説明する。
【００２２】
［実施形態１］
図１は、本発明の一実施形態（実施形態１）にかかるガスコンロＡの外観構成を示す斜視図である。
【００２３】
このガスコンロＡは、図１に示すように、３つのコンロバーナ１０（１０ａ、１０ｂ、１０ｃ）を備えた、キッチンカウンターに埋め込まれて設置されるドロップインタイプ（埋め込み型）のガスコンロである。
【００２４】
また、このガスコンロＡは、コンロ本体２０と、コンロ本体２０の上面の開口を覆う天板１２とを備えている。
【００２５】
ガスコンロＡが備える３つのコンロバーナ１０はいずれもブンゼン式のガスバーナであり、２つのコンロバーナ１０ａ、１０ｂは、天板１２の前方側の左右に、天板１２から上方にバーナヘッドが露出するような態様で配設され、残りの１つのコンロバーナ１０ｃは、天板１２の後方に配設されている。なお、各コンロバーナ１０（１０ａ、１０ｂ、１０ｃ）は、それぞれ天板１２から上方にバーナヘッドが露出するような態様で配設されている。
【００２６】
また、３つのコンロバーナ１０（１０ａ、１０ｂ、１０ｃ）の周囲には、各コンロバーナ１０（１０ａ、１０ｂ、１０ｃ）により加熱される調理容器（図示せず）が載置される五徳１３がそれぞれ配設されている。
【００２７】
また、各コンロバーナ１０（１０ａ、１０ｂ、１０ｃ）の中央には、五徳１３上に載置された調理容器の底部の温度を検出するための温度センサ１４が配設されている。この温度センサ１４は、五徳１３上に載置された調理容器の底面に接することで調理容器の温度を検出する。
【００２８】
また、天板１２上の手前側の領域には、３つのコンロバーナ１０（１０ａ、１０ｂ、１０ｃ）に対する操作、すなわち、点火、消火、炎調節などの操作を行う点消火操作部１５（１５ａ、１５ｂ、１５ｃ）が左右方向に並んで配置されている。
【００２９】
点消火操作部１５（１５ａ、１５ｂ、１５ｃ）はいずれも、下方に押し込みながら所定方向に回す、押し回し操作をすることにより、コンロバーナ１０の点消火や炎調節などを行う押し回し式の点消火操作部である。
【００３０】
なお、点消火操作部１５ａはコンロバーナ１０ａ用の操作部、点消火操作部１５ｂはコンロバーナ１０ｂ用の操作部、点消火操作部１５ｃはコンロバーナ１０ｃ用の操作部である。
【００３１】
このガスコンロＡにおいては、天板１２の奥側に、上述の３つのコンロバーナ１０（１０ａ、１０ｂ、１０ｃ）に一次空気を供給するための吸気口１７が形成されており、この吸気口１７の上方は、吸気口カバー体１６によって覆われている。
【００３２】
なお、このガスコンロＡは、魚などを調理するためのグリルを備えていないが、本発明は、グリルを備えているガスコンロにも適用することが可能である。
【００３３】
上述のように、この実施形態１にかかるガスコンロＡは、コンロバーナ１０（１０ａ、１０ｂ、１０ｃ）の点消火を行う点消火操作部１５（１５ａ、１５ｂ、１５ｃ）を備えており、各点消火操作部１５（１５ａ、１５ｂ、１５ｃ）は、操作つまみ２５（２５ａ、２５ｂ、２５ｃ）を備えている。
【００３４】
また、天板１２には、図２に示すように、点消火つまみ２５を支持する操作軸２１が挿通されるとともに、コンロバーナ１０（図１）の燃焼用空気の通路となる貫通孔１２ａが形成されている。
【００３５】
なお、操作軸２１は、ガスバルブケース３０（図２）と連結されており、操作つまみ２５（２５ａ、２５ｂ、２５ｃ）を押し回し操作することで、ガスバルブケース３０の内部に配設されたガスバルブ（図示せず）が開弁して、操作つまみ２５（２５ａ、２５ｂ、２５ｃ）に対応するコンロバーナ１０（１０ａ、１０ｂ、１０ｃ）に燃料ガスが供給されるように構成されている。
【００３６】
このような、押し回し操作式のガスバルブの構成は、周知であることから、本明細書では詳細な説明を省略する。
【００３７】
＜ガスコンロの特徴的構成＞
次に、この本実施形態１にかかるガスコンロＡの特徴的な構成について説明する。
【００３８】
この実施形態１にかかるガスコンロＡにおいて、操作つまみ２５は、樹脂（この実施形態ではＡＢＳ／ＰＢＴ）から形成された操作つまみ本体３５と、操作つまみ本体３５に止着され、使用者が操作つまみ２５を操作する際に、使用者が、その手指にて挟持する挟持部３６を備えている（図３（ａ），（ｂ））。なお、この実施形態１においては、挟持部３６も樹脂（この実施形態ではＡＢＳ／ＰＢＴ）から構成されている。
【００３９】
また、挟持部３６は、使用者が操作つまみ２５を操作する際に、使用者の手指が触れる挟持面３６ａを備えている（図３（ａ），（ｂ））。
【００４０】
そして、この実施形態１において、挟持部３６は、操作つまみ２５（より具体的には挟持部３６）の熱容量を減少させるための熱容量減少部を備えているとともに、操作つまみ２５から挟持面３６ａへの熱伝導を抑制するための熱伝導抑制部を備えている。
【００４１】
熱容量減少部は、挟持部３６の熱容量を減少させて、操作つまみ２５の挟持部３６の表面である挟持面３６ａから使用者の手指に伝わる熱量を低減する機能を果たす。
【００４２】
また、熱伝導抑制部は、操作つまみ２５から挟持面３６ａへの熱伝導を抑制して、使用者が挟持面３６ａに手指を触れたときに熱さを感じにくくする機能を果たす。
【００４３】
そして、この実施形態１においては、図３（ａ），（ｂ）に示すように、挟持面３６ａの主要部に、凹溝５１と、凸条５２を交互に配設することにより、熱容量減少部が形成されている。
【００４４】
また、この実施形態１においては、挟持面３６ａの主要部に、凹溝５１と、凸条５２を交互に配設することにより形成された凹凸面５０ａが、操作つまみ２５から挟持面３６ａへの熱伝導を抑制するための熱伝導抑制部として機能するように構成されている。
【００４５】
すなわち、この実施形態１では、図３（ａ），（ｂ）に示すように、挟持部３６の表面に、凹溝５１が隣接するように（つまり、凹溝５１によって両側を挟まれるように）、複数の凸条５２を形成することにより、熱容量減少部が形成されるとともに、凹溝５１と凸条５２が交互に配設された凹凸面５０ａにより、熱伝導抑制部が形成されている。
【００４６】
さらに説明すると、上述のように構成した場合、挟持部３６の表面に形成された凸条５２の両側には、空気で満たされた凹溝５１が隣接しており、挟持部３６の熱容量が減少する。
【００４７】
また、挟持部３６の表面に形成された凸条５２は、操作つまみ本体３５から挟持面３６ａ（すなわち凸条５２の先端面）への熱伝導を抑制する（熱流を減少させる）ので、使用者の手指が挟持面３６ａに触れた場合に、使用者が熱く感じることが抑制される。
【００４８】
つまり、この実施形態１では、挟持部３６の表面に、凹溝５１が隣接するように（つまり、凹溝５１によって両側を挟まれるように）、凹溝５１と凸条５２とを交互に繰り返して配設することにより、操作つまみ２５を構成する挟持部３６が、
（ａ）挟持部３６の熱容量を減少させて、挟持面３６ａから使用者の手指に伝わる熱量を低減するための熱容量減少部と、
（ｂ）操作つまみ３５から挟持面３６ａへの熱伝導を抑制して、使用者が挟持面に手指を触れたときに熱さを感じにくくするための熱伝導抑制部と
を備えたガスコンロを実現するようにしている。
【００４９】
そして、このように構成された実施形態１のガスコンロＡによれば、操作つまみ２５の挟持部３６が、熱容量減少部と、熱伝導抑制部とを備えているので、操作つまみ２５の挟持部３６に使用者の手指が触れたときにも、使用者が熱く感じることを抑制することが可能で、使用感の良好なガスコンロを提供することが可能になる。
【００５０】
［実施形態２］
次に、他の実施形態（実施形態２）にかかるガスコンロについて説明する。
実施形態２にかかるガスコンロにおいては、図４（ａ），（ｂ）に示すように、操作つまみ２５を構成する挟持部３６の表面である挟持面３６ａの主要部が、表面が曲面に形成された複数個（多数個）の突起５３を所定の間隔をおいて縦横に並べて配設した突起配設面５０ｂとして構成されている。
【００５１】
その他の構成は、上述の実施形態１の場合と同様である。
【００５２】
この実施形態２の場合、挟持面３６ａの主要部が、上述のような突起配設面５０ｂとされており、表面が曲面に形成された複数の突起５３の周囲には空気が存在するので、挟持部３６の熱容量が減少する。
【００５３】
また、使用者が操作つまみ２５の挟持部３６を挟持した場合、使用者の手指は、主要部が突起配設面５０ｂとされた挟持面３６ａに触れることになり、手指は、挟持面３６ａの主要部を占める突起配設面５０ｂに存在する複数の突起５３とその周囲に存在する空隙部からなる領域を挟持することになる。
【００５４】
その結果、操作つまみ本体３５や挟持部３６から、挟持面３６ａ（突起５３の先端）への熱伝導が抑制され（熱流が減少し）、挟持面３６ａに手指を触れた使用者が熱く感じることが抑制される。
【００５５】
つまり、実施形態２のガスコンロの場合、表面が曲面に形成された複数の突起５３（図４（ａ），（ｂ））を配設することにより構成される突起配設面５０ｂを備える挟持部３６が、熱容量減少部、および、熱伝導抑制部を備えることになり、天板１２上の操作つまみ２５の挟持部３６に使用者が触れたときにも、使用者が熱く感じることを抑制することが可能で、使用感の良好なガスコンロを提供することが可能になる。
【００５６】
また、実施形態２（図４（ａ），（ｂ））では、挟持面３６ａの主要部を占める突起配設面５０ｂを構成する複数の突起５３の表面が曲面に形成されていることから、使用者が手指にて操作つまみ２５の挟持部３６を挟持したときに、例えば、突起の形状が、円錐形状や角錐形状、あるいは角柱形状などである場合においては、それらの尖った部分から使用者が受けることになるような「ちくちく」する刺激を受けることを抑制することが可能になり、この点でも使用感を向上させることができる。
【００５７】
なお、上述の実施形態１では、操作つまみ２５の挟持部３６を樹脂で構成し、挟持面３６ａを凹凸面５０ａとした場合について説明し、実施形態２では、挟持面３６ａを突起配設面５０ｂとした場合について説明したが、挟持部３６を構成する樹脂として、熱容量が小さく、熱伝導しにくい樹脂、例えば、多くの気泡を含む樹脂（発泡ポリウレタン樹脂ような発泡樹脂）などを用いることにより、挟持面３６ａに凹凸部や突起を形成することが不要になるような構成とすることも可能である。
【００５８】
［実施形態３］
次に、本発明のさらに他の実施形態（実施形態３）にかかるガスコンロについて説明する。
【００５９】
実施形態３にかかるガスコンロにおいては、図５（ａ），（ｂ）に示すように、操作つまみ２５を構成する操作つまみ本体３５は樹脂（この実施形態ではＡＢＳ／ＰＢＴ）から形成されており、挟持部３６はゴム部材により構成されている。また、挟持部３６の表面には、実施形態１の場合と同様に、凹溝５１と、凸条５２が形成されている。
コア部材としては、天然ゴム、合成ゴムなどを適宜選択して用いることができる
【００６０】
また、実施形態３にかかるガスコンロにおいては、ゴム部材からなる挟持部３６は、操作つまみ本体３５に対して着脱可能に取り付けられている。
【００６１】
この実施形態３の場合、挟持部３６はゴム部材により構成されており、ゴム部材は熱が伝わりにくい熱伝導の悪い材料であり、かつ、挟持部３６の表面である挟持面３６ａには凹溝５１と、凸条５２が形成されていることから、操作つまみ２５を操作する際に、使用者の手指が挟持部３６の表面の挟持面３６ａに触れた場合にも、使用者が熱く感じることを抑制することができる。
【００６２】
また、この実施形態３では、挟持部３６が、樹脂製の操作つまみ本体３５に対して着脱可能に構成されているので、挟持部３６が汚損したときに、操作つまみ本体３５から取り外して清掃することが可能になり、使い勝手のよいガスコンロを提供することができる。
【００６３】
なお、挟持部３６を構成するゴムとして、多くの気泡を含み、熱容量の小さいゴム系材料（発泡ゴム）を用いることにより、挟持面３６ａに凹溝や凸条、あるいは突起などを形成することを不要にすることも可能である。
【００６４】
［実施形態４］
次に、本発明のさらに他の実施形態（実施形態４）にかかるガスコンロについて説明する。
【００６５】
実施形態４にかかるガスコンロにおいては、図６に示すように、操作つまみ２５を構成する操作つまみ本体３５は樹脂（この実施形態ではＡＢＳ／ＰＢＴ）から形成されており、挟持部３６は木材により構成されている。
そして、この実施形態４にかかるガスコンロにおいては、挟持部３６を構成する木材として、その内部に細かい空洞を多く含む木材（この実施形態ではコルク、または、ラワン）が用いられている。
【００６６】
また、挟持部３６を構成する内部に細かい空洞を多く含む木材は熱容量が小さく、また、熱が伝わりにくいことから、挟持部３６を構成する木材の表面、すなわち、挟持面３６ａには、特に、凹溝や凸条、あるいは突起などは形成していない。
【００６７】
この実施形態４の場合にも、挟持部３６に、熱容量が小さく、かつ、操作つまみ２５から挟持面３６ａに熱が伝わりにくい、空洞を多く含む木材が用いられていることから、操作つまみ２５を操作するために、使用者の手指が挟持部３６の表面である挟持面３６ａに触れた場合にも、使用者が熱く感じることを防止することができる。
【００６８】
ただし、この実施形態４の構成の場合にも、挟持部３６の表面、すなわち、挟持面３６ａに凹溝や凸条あるいは突起などを設けて、さらに熱容量が小さく、かつ、熱が伝わりにくくなるように構成してもよい。
【００６９】
また、上記実施形態３では、挟持部３６を、操作つまみ本体３５に対して着脱可能としているが、他の実施形態、すなわち、実施形態１、２、および４の各実施形態においても、挟持部３６を、操作つまみ本体３５に対して、着脱可能に構成して、挟持部３６が汚損したときに、操作つまみ本体３５から取り外して清掃できるようにすることも可能である。
【００７０】
本発明は、その他の点においても上記実施形態に限定されるものではなく、本発明の範囲内において種々の変形を加えることが可能である。
【符号の説明】
【００７１】
Ａ      ガスコンロ
１０（１０ａ、１０ｂ、１０ｃ）    コンロバーナ
１２    天板
１２ａ  天板に形成された貫通孔
１３    五徳
１４    温度センサ
１５（１５ａ、１５ｂ、１５ｃ）    点消火操作部
１６    吸気口カバー体
１７    吸気口
２０    コンロ本体
２１    操作軸
２５（２５ａ、２５ｂ、２５ｃ）    操作つまみ
３０    ガスバルブケース
３５    操作つまみ本体
３６    挟持部
３６ａ  挟持面
５０ａ  凹凸面
５０ｂ  突起配設面
５１    凹溝
５２    凸条
５３    突起
【図１】
2019074293.tif 000003
【図２】
2019074293.tif 000004
【図３】
2019074293.tif 000005
【図４】
2019074293.tif 000006
【図５】
2019074293.tif 000007
【図６】
2019074293.tif 000008